(57)【要約】      （修正有）【課題】施工時に引き伸ばして直線的に配設したフレキシブルダクトが、空調機の運転による内圧の増大による膨出によってさらに引き伸ばされて蛇行するのを防止するための施工方法を提供する。【解決手段】建物構造体に一定間隔で植設された複数本の吊りボルト２に、一側部が固着され、他側部が引き伸ばされたフレキシブルダクト１の外周に巻回されて前記フレキシブルダクトを強固に把持する取付固定用バンド２’とで構成されてなる蛇行防止機構、又は引き伸ばされたフレキシブルダクトに沿って配設された直線状のガイド４と、同ガイドを建物構造体に固定する複数本の吊りボルト又は吊りバンドと、ガイドと引き伸ばされたフレキシブルダクトとを一定間隔ごとに束ねて巻回しフレキシブルダクトをガイドに強固に固定する取付固定用バンドとで構成された蛇行防止機構を採用する。【選択図】図３
2008241120.tif 000002
【特許請求の範囲】
【請求項１】
空調機から空調対象スペースに調整空気を供給するためのダクトにフレキシブルダクトを使用する空調システムにおいて、施工時に引き伸ばされて直線的に配設されたフレキシブルダクトが、空調機の運転による内圧の増大による膨出によってさらに引き伸ばされて蛇行するのを抑制・防止するフレキシブルダクトの蛇行抑制・防止機構を備えてなることを特徴とするフレキシブルダクトの蛇行抑制・防止機構を備えた空調システム。
【請求項２】
前記蛇行抑制・防止機構が、建物構造体に一定間隔で植設された複数本の吊りボルトと、一側部が該吊りボルトそれぞれに固着され、他側部が引き伸ばされたフレキシブルダクトの外周に巻回されて前記フレキシブルダクトを強固に把持する取付固定用バンドとで構成されてなることを特徴とする請求項１に記載のフレキシブルダクトの蛇行抑制・防止機構を備えた空調システム。
【請求項３】
前記一定間隔で植設された複数本の吊りボルトの間隔が、１．２ｍ以内であることを特徴とする請求項１又は２に記載のフレキシブルダクトの蛇行抑制・防止機構を備えた空調システム。
【請求項４】
前記蛇行抑制・防止機構が、引き伸ばされたフレキシブルダクトに沿って配設された直線状のガイドと、同ガイドを建物構造体に固定する複数本の吊りボルト又は吊りバンドと、前記ガイドと前記引き伸ばされたフレキシブルダクトとを一定間隔ごとに束ねて巻回し前記フレキシブルダクトをガイドに強固に固定する取付固定用バンドとで構成されてなることを特徴とする請求項１に記載のフレキシブルダクトの蛇行抑制・防止機構を備えた空調システム。
【請求項５】
前記一定間隔ごとにガイドとフレキシブルダクトを束ねて巻回する取付固定用バンドが１．２ｍ以内の間隔で配設され、かつ前記ガイドを建造物構造体に固定する吊りボルト又は吊りバンドが４ｍ以内の間隔で設けられてなることを特徴とする請求項４に記載のフレキシブルダクトの蛇行抑制・防止機構を備えた空調システム。
【請求項６】
前記ガイドが鉄、アルミ、樹脂製の棒状体であることを特徴とする請求項４又は５に記載のフレキシブルダクトの蛇行抑制・防止機構を備えた空調システム。
【請求項７】
前記取付固定用バンドが樹脂製、又は布製であることを特徴とする請求項２〜５のいずれか１項に記載のフレキシブルダクトの蛇行抑制・防止機構を備えた空調システム。
【請求項８】
空調機から空調対象スペースに調整空気を供給するためのダクトにフレキシブルダクトを使用する空調システムにおいて、建物構造体に一定間隔で植設された複数本の吊りボルトそれぞれに一側部が固着された取付固定用バンドの他側部を、引き伸ばされたフレキシブルダクトの外周に巻回して前記フレキシブルダクトを強固に把持することによって、前記フレキシブルダクトが空調機の運転による内圧の増大による膨出によってさらに引き伸ばされて蛇行するのを抑制・防止可能にすることを特徴とするフレキシブルダクトの蛇行抑制・防止工法。
【請求項９】
前記一定間隔で植設された複数本の吊りボルトの間隔が、１．２ｍ以内であることを特徴とする請求項８に記載のフレキシブルダクトの蛇行抑制・防止工法。
【請求項１０】
空調機から空調対象スペースに調整空気を供給するためのダクトにフレキシブルダクトを使用する空調システムにおいて、建物構造物に固定された複数本の吊りボルト又は吊りバンドによって吊設された直線状のガイドに引き伸ばされたフレキシブルダクトを沿わせて配設し、かつ前記引き伸ばされたフレキシブルダクトとガイドとを一定間隔ごとに取付固定用バンドを巻回して束ね、前記フレキシブルダクトをガイドに強固に固定することによって、前記フレキシブルダクトが空調機の運転による内圧の増大による膨出によってさらに引き伸ばされて蛇行するのを抑制・防止可能にすることを特徴とするフレキシブルダクトの蛇行抑制・防止工法。
【請求項１１】
前記一定間隔ごとにガイドとフレキシブルダクトを束ねて巻回する取付固定用バンドが１．２ｍ以内の間隔で配設され、かつ前記ガイドを建造物構造体に固定する吊りボルト又は吊りバンドが４ｍ以内の間隔で設けられてなることを特徴とする請求項１０に記載のフレキシブルダクトの蛇行抑制・防止工法。
【請求項１２】
前記直線状のガイドが、鉄、アルミ、樹脂製の棒状体であることを特徴とする請求項１０又は１１に記載のフレキシブルダクトの蛇行抑制・防止工法。
【請求項１３】
前記取付固定用バンドが樹脂製、又は布製であることを特徴とする請求項８〜１２のいずれか１項に記載のフレキシブルダクトの蛇行抑制・防止工法。
【発明の詳細な説明】
【技術分野】
【０００１】
本発明は、空調機から空調対象スペースに調整空気を供給するためのダクトにフレキシブルダクトを使用する空調システムにおいて、施工時に引き伸ばして直線的に配設したフレキシブルダクトが、空調機の運転による内圧の増大による膨出によってさらに引き伸ばされて蛇行するのを抑制・防止する蛇行抑制・防止機構を備えてなる空調システム、及びフレキシブルダクトの蛇行抑制・防止工法に関する。
【背景技術】
【０００２】
従来の空調システムにおいては、空調機と空調対象スペースとを結ぶダクトとして主に鋼板製の断面が方形又は円形のダクトが使用されてきた。しかし、この鋼板製のダクトは運送や施工上の制約から作業現場で一定間隔ごとに接続する必要があることから、施工に時間がかかり、施工経費も嵩むことになる。そこで施工時間の短縮と施工経費の低減を図るため、近年、短縮した状態で輸送し、作業現場で引き伸ばして施工するフレキシブルダクトの使用が増加しつつある。
このフレキシブルダクトは、前述のように短縮した状態で輸送し、作業現場で引き伸ばして施工できるので、従来の鋼板製のダクトに比べて長尺のものが得られるばかりでなく、自在に屈曲させられることから、接続箇所が減少し、ダクト配設の自由度が高まり、施工が容易になる反面、その伸縮性の良さと施工の容易さとが仇となって、空調機の運転による内圧の増大による膨出によって、直線的に配設したはずのフレキシブルダクトが引き伸ばされ、左右に蛇行する現象が生じる（図４参照）。
その要因はフレキシブルダクトが完全に引き伸ばされた状態では配設されず、多少の遊びを持って配設されることにある。フレキシブルダクトが直線部分のみに使用される場合には空調機が運転されて増大する内圧によって伸びる余地がなくなるよう細心の注意を払って引き伸ばしておけば、フレキシブルダクトが蛇行するのを抑制・防止することもできるが、途中に屈曲部が存在する場合には屈曲部ごとにチャンバなどを介して接続する必要があり、前記フレキシブルダクトの長尺で屈曲自在という長所を活用できないことになる。したがって、フレキシブルダクトの長所を生かして、空調システムの施工時間短縮、施工経費の削減を図るには、ある程度の遊びが必要になり、この遊びが空調機の運転による内圧の増大につれて伸び、フレキシブルダクトの蛇行につながってくる。
さらに、フレキシブルダクトは鋼板製のダクトに比べて軽量なため、建造物の駆体に強固に固定されず、吊りバンドなどによって吊設されることが多く、これがフレキシブルダクトの蛇行をより容易にすることにもなっている。
このフレキシブルダクトの蛇行は、該フレキシブルダクトが配線用の吊り材等天井に吊設された部材に当接して損傷したり、フレキシブルダクトが屈曲することによって該フレキシブルダクト内壁の気流に対する抵抗が増大して空調対象空間へ供給すべき風量が不足するといった問題を派生することになっていた。
【０００３】
可撓性を有する樹脂管等の配管に関しては、特許文献１の特開２００２−３０３３８５号公報には、橋梁等に添設露出配管が外気温の変化によって熱伸縮し、これにより管が大きく蛇行したり、管を連結する継手に引張力が加わって継手より離脱するのを防止する管の支持方法として、「樹脂管を橋梁に取り付けたクランプ金具で適当間隔ごとに把持して固定し、クランプ金具管の樹脂管の熱伸縮量を小さくし熱伸縮量を分散させる」発明が開示されている。
また、特許文献２の特開平９−５３７５２号公報には、「地表面を掘削してできる掘削溝にＦＥＰ管（フレキシブルポリエチレンパイプ）を延線布設し、このＦＥＰ管に一定の張力を与えつつ掘削溝の長手方向に任意の間隔で横揺れ防止材を打ち込んでＦＥＰ管を挟み付け固定し、その後に掘削土の埋め戻しをする。」発明が開示されている。
さらに、特許文献３の特開平８−２７７９６６号公報には、「可撓性を有する樹脂管の配管構造において固定支持手段で前記樹脂管を少なくとも２箇所で固定するとともに、前記２箇所の固定支持手段間における樹脂管の長さを、前記２箇所の固定支持手段間における配管可能な最短長さに予定される熱収縮量を加えた長さ以上とし、前記２箇所の固定支持手段間の少なくとも１箇所において、樹脂管を自由支持手段で自由状態に支持する」発明が開示されている。
上記の各発明が対象とする可撓管は、特許文献１の発明では橋梁に添設される水道管であり、特許文献３の発明ではマンション等の中高層建築物の給水管、給湯管、冷温水管であり、特許文献２の発明では埋設ケーブルの挿通管であり、前記可撓管の伸縮を抑制するため可撓管を橋梁や掘削溝底にクランプ金具や横揺れ防止材で固定し、あるいは伸縮を屈曲部で吸収してるが、空調用のフレキシブルダクトは、建物構造体に吊設され、吊設具を介してその伸縮を抑制して蛇行を防止しなければならず、また、フレキシブルダクト内を流れる調温された空気は、予期しない屈曲部の出現によるダクト抵抗の増加や偏流の発生が、風量調整装置の測定誤差を生み空調対象空間に必要な供給風量の過不足につながることから特許文献３のようにフレキシブルダクトの伸縮を屈曲部で吸収させる方法は取り得ない。
【特許文献１】特開２００２−３０３３８５号公報
【特許文献２】特開平９−５３７５２号公報
【特許文献３】特開平８−２７７９６６号公報
【発明の開示】
【発明が解決しようとする課題】
【０００４】
本発明は、上記背景技術に鑑みて、フレキシブルダクトの蛇行を抑制・防止して、空調対象空間に必要な温調された空気が安定して供給できるフレキシブルダクトの蛇行抑制・防止機構を備えた空調システム、及びフレキシブルダクトの蛇行の抑制・防止を可能にするフレキシブルダクト蛇行抑制・防止工法を提供するものである。
【課題を解決するための手段】
【０００５】
本発明者らは上記課題を下記の手段によって解決した。
（１）空調機から空調対象スペースに調整空気を供給するためのダクトにフレキシブルダクトを使用する空調システムにおいて、施工時に引き伸ばされて直線的に配設されたフレキシブルダクトが、空調機の運転による内圧の増大による膨出によってさらに引き伸ばされて蛇行するのを抑制・防止するフレキシブルダクトの蛇行抑止・防止機構を備えてなることを特徴とするフレキシブルダクトの蛇行抑制・防止機構を備えた空調システム。
【０００６】
（２）前記蛇行抑制・防止機構が、建物構造体に一定間隔で植設された複数本の吊りボルトと、一側部が該吊りボルトそれぞれに固着され、他側部が引き伸ばされたフレキシブルダクトの外周に巻回されて前記フレキシブルダクトを強固に把持する取付固定用バンドとで構成されてなることを特徴とする前項（１）に記載のフレキシブルダクトの蛇行抑制・防止機構を備えた空調システム。
（３）前記一定間隔で植設された複数本の吊りボルトの間隔が、１．２ｍ以内であることを特徴とする前項（１）又は（２）に記載のフレキシブルダクトの蛇行抑制・防止機構を備えた空調システム。
【０００７】
（４）前記蛇行抑制・防止機構が、引き伸ばされたフレキシブルダクトに沿って配設された直線状のガイドと、同ガイドを建物構造体に固定する複数本の吊りボルト又は吊りバンドと、前記ガイドと前記引き伸ばされたフレキシブルダクトとを一定間隔ごとに束ねて巻回し前記フレキシブルダクトをガイドに強固に固定する取付固定用バンドとで構成されてなることを特徴とする前項（１）に記載のフレキシブルダクトの蛇行抑制・防止機構を備えた空調システム。
（５）前記一定間隔ごとにガイドとフレキシブルダクトを束ねて巻回する取付固定用バンドが１．２ｍ以内の間隔で配設され、かつ前記ガイド棒を建造物構造体に固定する吊りボルト又は吊りバンドが４ｍ以内の間隔で設けられてなることを特徴とする前項（４）に記載のフレキシブルダクトの蛇行抑制・防止機構を備えた空調システム。
（６）前記ガイドが鉄、アルミ、樹脂製の棒状体であることを特徴とする前項（４）又は（５）に記載のフレキシブルダクトを用いたフレキシブルダクトの蛇行抑制・防止機構を備えた空調システム。
【０００８】
（７）前記取付固定用バンドが樹脂製、又は布製であることを特徴とする前項（２）〜（５）のいずれか１項に記載のフレキシブルダクトを用いた空調システム。
【０００９】
（８）空調機から空調対象スペースに調整空気を供給するためのダクトにフレキシブルダクトを使用する空調システムにおいて、建物構造体に一定間隔で植設された複数本の吊りボルトそれぞれにその一側部が固着された取付固定用バンドの他側部を引き伸ばされたフレキシブルダクトの外周に巻回して前記フレキシブルダクトを強固に把持することによって、前記フレキシブルダクトが空調機の運転による内圧の増大による膨出によってさらに引き伸ばされて蛇行するのを抑制・防止可能することを特徴とするフレキシブルダクトの蛇行防止工法。
（９）前記一定間隔で植設された複数本の吊りボルトの間隔が、１．２ｍ以内であることを特徴とする前項（８）に記載のフレキシブルダクトの蛇行防止工法。
【００１０】
（１０）空調機から空調対象スペースに調整空気を供給するためのダクトにフレキシブルダクトを使用する空調システムにおいて、建物構造物に固定された複数本の吊りボルト又は吊りバンドによって吊設された直線状のガイドに引き伸ばされたフレキシブルダクトを沿わせて配設し、かつ前記引き伸ばされたフレキシブルダクトとガイドとを一定間隔ごとに取付固定用バンドを巻回して束ね、前記フレキシブルダクトをガイドに強固に固定することによって、前記フレキシブルダクトが空調機の運転による内圧の増大による膨出によってさらに引き伸ばされて蛇行するのを抑制・防止可能にすることを特徴とするフレキシブルダクトの蛇行防止工法。
（１１）前記一定間隔ごとにガイドとフレキシブルダクトを束ねて巻回する取付固定用バンドが１．２ｍ以内の間隔で配設され、かつ前記ガイドを建造物構造体に固定する吊りボルト又は吊りバンドが４ｍ以内の間隔で設けられてなることを特徴とする前項（１０）に記載のフレキシブルダクトの蛇行防止工法。
（１２）前記ガイドが鉄、アルミ、樹脂製の棒状体であることを特徴とする前項（１０）又は（１１）に記載のフレキシブルダクトの蛇行防止工法。
【００１１】
（１３）前記取付固定用バンドが樹脂製、又は布製であることを特徴とする前項（８）〜（１２）のいずれか１項に記載のフレキシブルダクトの蛇行防止工法。
【発明の効果】
【００１２】
〈１〉空調機から空調対象スペースに調整空気を供給するためのダクトにフレキシブルダクトを使用する空調システムにおいて、前記フレキシブルダクトが、建物構造体に一定間隔で植設された複数本の吊りボルトそれぞれにその一側部が固着された取付固定用バンドの他側部が、引き伸ばされたフレキシブルダクトの外周に巻回されて前記フレキシブルダクトを強固に把持するよう構成されているので、前記フレキシブルダクトが空調機運転による内圧増大による膨出によってさらに伸びて蛇行するのを抑制・防止でき、ひいては、フレキシブルダクトが天井吊設物に当接して損傷を受け、又はフレキシブルダクトの蛇行により予期しない屈曲部の出現による気流に対するダクト抵抗の増加による空調対象空間に送る必要風量が不足するという問題が解消できる。
【００１３】
〈２〉空調機から空調対象スペースに調整空気を供給するためのダクトにフレキシブルダクトを使用する空調システムにおいて、建物構造物に固定された複数本の吊りボルト又は吊りバンドによって吊設された直線状のガイドに引き伸ばされたフレキシブルダクトを沿わせて配設し、かつ前記引き伸ばされたフレキシブルダクトとガイドとを一定間隔ごとに取付固定用バンドを巻回して束ね、前記フレキシブルダクトをガイドに強固に固定させているので、前記フレキシブルダクトが空調機の運転による内圧の増大による膨出によってさらに引き伸ばされて蛇行するのを抑制・防止でき、ひいては、フレキシブルダクトが天井吊設物に当接して損傷を受け、又はフレキシブルダクトの蛇行により予期しない屈曲部の出現による気流に対するダクト抵抗の増加による空調対象空間に送る必要風量が不足するという問題が解消できる。
〈３〉上記〈２〉の効果に加えて、引き伸ばされたフレキシブルダクトに直線状のガイドを沿わせて配設し両者を複数個所で取付固定用バンドで強固に束ね、前記ガイドを吊りボルト又は吊りバンドで建物構造物に吊設するので、取付固定用バンドそれぞれを吊りボルトに固着する場合より、吊りボルト又は吊りバンドの間隔を拡げられ、かつ吊りボルト又は吊りバンドの数が少なくでき、施工が容易になる。
【００１４】
〈４〉上記〈１〉、〈２〉効果によって、フレキシブルダクトを使用した空調システムの安定運用が可能となり、空調システムの施工時間の短縮と施工経費の低減が図れ、フレキシブルダクトを使用した空調システムの普及が期待できる。
【発明を実施するための最良の形態】
【００１５】
本発明による空調システム及びフレキシブルダクト蛇行防止方法の実施の形態を実施例の図に基づいて説明する。
図１は建物構造体に植設された複数本の吊りボルトと、一側部が該吊りボルトそれぞれに固着され他側部がフレキシブルダクトの外周に巻回されて前記フレキシブルダクトを強固に把持する取付固定用バンドとでなる蛇行抑制・防止機構の説明図、図２は図１の蛇行抑制・防止機構の吊設部の詳細説明図、図３は、引き伸ばされたフレキシブルダクトに沿って配設された直線状のガイドと、同ガイドを建物構造体に固定する複数本の吊りボルト又は吊りバンドと、前記ガイドと前記引き伸ばされたフレキシブルダクトとを一定間隔ごとに束ねて巻回し前記フレキシブルダクトをガイドに強固に固定する取付固定用バンドとでなる蛇行抑制機構の説明図である。
図において１はフレキシブルダクト、２は吊りボルト、２’は吊りバンド、３は取付固定用バンド、４はガイド、５はボルト、６はナット、７は建物構造体、８はインサートである。
【実施例１】
【００１６】
本実施例は、空調機から空調対象スペースに調整空気を供給するためのダクトにフレキシブルダクト１を使用する空調システムにおいて、図１に示すように、建物構造体に一定間隔で植設された複数本の吊りボルト２と、一側部が該吊りボルト２それぞれに固着され、他側部が引き伸ばされたフレキシブルダクト１の外周に巻回されて前記フレキシブルダクト１を強固に把持する取付固定用バンド３とで構成されたフレキシブルダクトの蛇行抑制・防止機構を備え、前記建物構造体に一定間隔で植設された複数本の吊りボルト２のそれぞれに取付固定用バンド３の一側部を固着し、同取付固定用バンド３の他側部を引き伸ばされたフレキシブルダクト１の外周に巻回して前記フレキシブルダクト１を強固に把持することによって、前記フレキシブルダクト１が空調機（図示せず）の運転による内圧の増大による膨出によってさらに引き伸ばされて蛇行するのを抑制・防止するものであり、前記複数本の吊りボルト２の間隔は、１．２ｍ以内とすることが好ましい。
図２に図１の蛇行抑制・防止機構の吊設部の詳細説明図を示す。図２に見られるように、フレキシブルダクト１の外周に取付固定用バンド３が密着巻回されており、その両端付近は重ね合わされ、前記フレキシブルダクトを強固に把持するようボルト５とナット６とで締結され、重ね合わされた取付固定用バンド３の先端は折り曲げられ、その部分に穿設された取付孔に吊りボルト２の下端部が挿通され、両側から２つのナット６、６で締結されている。そして吊りボルト２の上端部は建物構造体７に植設されている。
なお、吊りボルトの植設方法としては、例えば図２に示すようにあらかじめインサート８を建物構造体７に一体化して配設しておき、該インサート８の下端に穿設された雌ねじに前記吊りボルト２を螺着し、前記吊りボルト２自身が撓む以外に変位することがないようにするなど、前記吊りボルト２が建物構造体７に強固に固着されるものである必要がある。
前記取付固定用バンド３は、樹脂製又は布製が好ましいが、より強固な固定を必要とする場合には鋼製バンドを使用してもよい。
【実施例２】
【００１７】
本実施例は、空調機から空調対象スペースに調整空気を供給するためのダクトにフレキシブルダクト１を使用する空調システムにおいて、図３に示すように、引き伸ばされたフレキシブルダクト１に沿って配設された直線状のガイド４と、同ガイド４を建物構造体７に固定する複数本の吊りボルト２又は吊りバンド２’と、前記ガイド４と前記引き伸ばされたフレキシブルダクト１とを一定間隔ごとに束ねて巻回し前記フレキシブルダクト１をガイド４に強固に固定する取付固定用バンド３とで構成されたフレキシブルダクト１の蛇行抑制・防止機構を備え、引き伸ばされたフレキシブルダクトに１に沿わせて直線状のガイド４を配設し、前記引き伸ばされたフレキシブルダクト１とガイド４とを一定間隔ごとに取付固定用バンド３を巻回して束ね、前記フレキシブルダクト１をガイド４に強固に固定した後、前記ガイドを建物構造体７に植設された吊りボルト２又は吊りバンド２’に固定することによって、前記フレキシブルダクト１が空調機（図示せず）の運転による内圧の増大による膨出によってさらに引き伸ばされて蛇行するのを抑制・防止するものであり、前記一定間隔ごとにガイド４とフレキシブルダクト１を束ねて巻回する取付固定用バンド３が１．２ｍ以内の間隔で配設され、かつ前記ガイド４を建造物構造体７に固定する吊りボルト２又は吊りバンド２’が４ｍ以内の間隔で設けられることが好ましい。
そして前記ガイド４が鉄、アルミ、樹脂製の棒状体であることが好ましく、その断面形状は円形、楕円形、長方形等いかなるものであってもよいが、吊設するフレキシブルダクト１の荷重に耐えかつ軽量で安価なものであることが好ましい。なお、前記フレキシブルダクトに沿って配設されるガイドは、１本に限られるものでなく複数本使用されてもよい。
また、前記取付固定用バンド３は、樹脂製又は布製のものが好ましい。
【図面の簡単な説明】
【００１８】
【図１】建物構造体に植設された複数本の吊りボルトと、一側部が該吊りボルトそれぞれに固着され他側部がフレキシブルダクトの外周に巻回されて前記フレキシブルダクトを強固に把持する取付固定用バンドとでなる蛇行抑制・防止機構の説明図
【図２】図１の蛇行抑制・防止機構の吊設部の詳細説明図
【図３】引き伸ばされたフレキシブルダクトに沿って配設された直線状のガイドと、同ガイドを建物構造体に固定する複数本の吊りボルト又は吊りバンドと、前記ガイドと前記引き伸ばされたフレキシブルダクトとを一定間隔ごとに束ねて巻回し前記フレキシブルダクトをガイドに強固に固定する取付固定用バンドとでなる蛇行抑制機構の説明図
【図４】フレキシブルダクトが引き伸ばされ左右に蛇行する現象の説明図
【符号の説明】
【００１９】
１：フレキシブルダクト
２：吊りボルト
２’：吊りバンド
３：取付固定用バンド
４：ガイド
５：ボルト
６：ナット
７：建物構造体
８：インサート
【図１】
2008241120.tif 000003
【図２】
2008241120.tif 000004
【図３】
2008241120.tif 000005
【図４】
2008241120.tif 000006